(57)【要約】【課題】屋根に断熱処理を行う場合であっても工数及びコストの増加を抑えることができる屋根下地用断熱パネル及び屋根下地用断熱パネルの施工方法を提供する。【解決手段】棟木１０１、母屋１０２、軒桁１０３等の複数の横架材１００に支持される住宅用の屋根下地材であって、左右方向に互いに所定間隔を開けて並設された、水平で同じ高さに延びる複数の垂木１１と、複数の垂木１１のうち隣接する垂木１１間の上部に空隙Ｓを形成するように、隣接する垂木１１間の下部に垂木１１と密着した状態で嵌め込まれた断熱材１２と、複数の垂木１１に上載された野地板１３が、予め一体化されてなるユニット製品であり、施工現場において、横架材１００上に一体化された状態のまま取付け可能にした。【選択図】図２
2012241416.tif 000002
【特許請求の範囲】
【請求項１】
棟木、母屋、軒桁等の複数の横架材に支持される住宅用の屋根下地材であって、
左右方向に互いに所定間隔を開けて並設された、水平で同じ高さに延びる複数の垂木と、
前記複数の垂木のうち隣接する垂木間の上部に空隙を形成するように、前記隣接する垂木間の下部に前記垂木と密着した状態で嵌め込まれた断熱材と、
前記複数の垂木に上載された野地板が、予め一体化されてなるユニット製品であり、
施工現場において、前記横架材上に一体化された状態のまま取付け可能にしたことを特徴とする屋根下地用断熱パネル。
【請求項２】
前記断熱材の上面に遮熱塗料を塗布したことを特徴とする請求項１に記載の屋根下地用断熱パネル。
【請求項３】
前記垂木の側面を下方から上方に向けて狭めた上向き傾斜面とするとともに、
前記垂木に嵌め込まれる前記断熱材の側面を上方から下方に向けて狭めた下向き傾斜面とし、
前記垂木の上向き傾斜面に前記断熱材の下向き傾斜面を相対向させるように、前記断熱材を前記複数の垂木間に落とし込んで嵌め込むことを特徴とする請求項１又は２に記載の屋根下地用断熱パネル。
【請求項４】
前記断熱材の下面に、前記垂木の延びる方向に略平行なスリットを設けたことを特徴とする請求項１乃至３のうちいずれか一つに記載の屋根下地用断熱パネル。
【請求項５】
前記垂木と前記断熱材との境目を覆うように、前記垂木の側面から前記断熱材の上面にかけて気密テープを貼着したことを特徴とする請求項１乃至４のうちいずれか一つに記載の屋根下地用断熱パネル。
【請求項６】
請求項１乃至５のうちいずれか一つに記載の屋根下地用断熱パネルを住宅用の屋根に施工する方法であって、
前記予め一体化されてなるユニット製品を、施工現場において、前記横架材に直交するように、少なくとも２つの横架材上に架け渡して取付けることを特徴とする屋根下地用断熱パネルの施工方法。
【発明の詳細な説明】
【技術分野】
【０００１】
本発明は、棟木、母屋、軒桁等の横架材に支持される屋根下地用断熱パネル及び屋根下地用断熱パネルの施工方法に関するものである。
【背景技術】
【０００２】
近年、より快適な住環境を得るために、様々な断熱処理が住宅の各部に施されている。
特に、屋根は日光がよく当たり最も昇温し易い箇所であるので、真夏に屋根の真下にある居室で快適に過ごすためには、屋根に断熱処理を施すことが重要である。
【０００３】
そこで、図５に示すように、棟木１０１、母屋１０２、軒桁１０３等の横架材１００に支持された垂木１１間に断熱材１２を施工する方法が開示されている（例えば、特許文献１参照）。
【先行技術文献】
【特許文献】
【０００４】
【特許文献１】特開平１０−２８０５７７号公報
【０００５】
図５に記載の発明では、まず施工現場において棟木１０１、母屋１０２、軒桁１０３に垂木１１を複数架け渡す。
次に、複数の垂木１１のうち隣接する垂木１１間の上部に空隙Ｓを形成するように、隣接する垂木１１間の下部に垂木１１と密着した状態で断熱材１２を嵌め込む。この断熱材１２には、グラスウール、発泡ウレタン、断熱ボード、エアマット等が用いられる。
次に、複数の垂木１１に野地板１３を上載し、固定する。これにより、断熱材１２、野地板１３、及び隣接する垂木１１で囲まれた空隙Ｓが形成される。
【０００６】
この発明によると、野地板１３からの輻射熱が断熱材１２で遮断されるので、屋根裏の昇温が抑えられ、真夏でも屋根の真下にある居室で快適に過ごすことができる。
しかも、屋根の下地内部に空隙Ｓが形成されるので、図６の矢印で示すように、加熱されて密度が小さくなった空隙Ｓ内の空気が、棟木１０１の上方に設けられた排気口２００まで上り排気される。よって、加熱された空気が屋根裏に滞留しないので、さらに断熱の効果が高くなる。
また、このように断熱を行うことで、冬には内部結露が発生し難い。
【発明の概要】
【発明が解決しようとする課題】
【０００７】
しかしながら、このように断熱材１２を施工すると、従来にはなかったその工程分だけ、工数及びコストが増加してしまうという問題がある。
このような工数増加は、人件費が増大するという面だけでなく、降雨等により遅れ易い施工現場での作業がさらに降雨等の影響を受け易くなるという面からも好ましくない。
【０００８】
そこで、本発明の目的とするところは、屋根に断熱処理を行う場合であっても工数及びコストの増加を抑えることができる屋根下地用断熱パネル及び屋根下地用断熱パネルの施工方法を提供することにある。
【課題を解決するための手段】
【０００９】
上記の目的を達成するために、本発明の請求項１に記載の屋根下地用断熱パネル（１０）は、棟木（１０１）、母屋（１０２）、軒桁（１０３）等の複数の横架材（１００）に支持される住宅用の屋根下地材であって、左右方向に互いに所定間隔を開けて並設された、水平で同じ高さに延びる複数の垂木（１１）と、前記複数の垂木（１１）のうち隣接する垂木（１１）間の上部に空隙（Ｓ）を形成するように、前記隣接する垂木（１１）間の下部に前記垂木（１１）と密着した状態で嵌め込まれた断熱材（１２）と、前記複数の垂木（１１）に上載された野地板（１３）が、予め一体化されてなるユニット製品（１０）であり、施工現場において、前記横架材（１００）上に一体化された状態のまま取付け可能にしたことを特徴とする。
【００１０】
また、請求項２に記載の屋根下地用断熱パネル（１０）は、前記断熱材（１２）の上面に遮熱塗料を塗布したことを特徴とする。
【００１１】
また、請求項３に記載の屋根下地用断熱パネル（１０）は、前記垂木（１１）の側面を下方から上方に向けて狭めた上向き傾斜面（１１ａ）とするとともに、前記垂木（１１）に嵌め込まれる前記断熱材（１２）の側面を上方から下方に向けて狭めた下向き傾斜面（１２ａ）とし、前記垂木（１１）の上向き傾斜面（１１ａ）に前記断熱材（１２）の下向き傾斜面（１２ａ）を相対向させるように、前記断熱材（１２）を前記複数の垂木（１１）間に落とし込んで嵌め込むことを特徴とする。
【００１２】
また、請求項４に記載の屋根下地用断熱パネル（１０）は、前記断熱材（１２）の下面に、前記垂木（１１）の延びる方向に略平行なスリット（１２ｂ）を設けたことを特徴とする。
【００１３】
また、請求項５に記載の屋根下地用断熱パネル（１０）は、前記垂木（１１）と前記断熱材（１２）との境目を覆うように、前記垂木（１１）の側面から前記断熱材（１２）の上面にかけて気密テープを貼着したことを特徴とする。
【００１４】
また、請求項６に記載の屋根下地用断熱パネル（１０）の施工方法は、前記予め一体化されてなるユニット製品（１０）を、施工現場において、前記横架材（１００）に直交するように、少なくとも２つの横架材（１００）上に架け渡して取付けることを特徴とする。
【００１５】
ここで、上記括弧内の記号は、図面および後述する発明を実施するための形態に掲載された対応要素または対応事項を示す。
【発明の効果】
【００１６】
本発明の請求項１に記載の屋根下地用断熱パネルによれば、垂木と、隣接する垂木間に嵌め込まれた断熱材と、複数の垂木に上載された野地板が、例えば工場において予め一体化されてなるユニット製品であり、施工現場において、横架材上に一体化された状態のまま取付け可能にしたので、屋根に断熱処理を行う場合であっても施工現場での工数を抑えることができる。
これは、工数の多く掛かる場所が工場であるか施工現場であるかが変わっただけではなく、工場及び施工現場の全体の工数を抑えることができるということである。つまり、工場のほうが施工現場よりも足場がよく、また専用の加工処理装置を使用できるので、施工現場で屋根の下地を施工するよりも工場で屋根下地用断熱パネルを製造するほうが短時間で済み、工数増加を抑えることができる。このように工数を抑えることにより、コストも抑えることができる。
さらには、足場がよく、また専用の加工処理装置を使用すると正確に作業可能であるので、垂木に対する断熱材の位置決め等の、屋根下地用断熱パネルの製造の精度も向上する。
また、断熱材は垂木と密着した状態で隣接する垂木間に嵌め込まれるので、垂木が断熱材から押圧された状態となり、屋根面の鉛直荷重時に垂木が面外座屈してしまうことを防止できる。よって、面外座屈防止のために断面積の大きい垂木を用いずに済むので、コストが低廉となる。
【００１７】
また、請求項２に記載の屋根下地用断熱パネルによれば、請求項１に記載の発明の作用効果に加え、断熱材の上面に遮熱塗料を塗布したので、野地板からの輻射熱の影響を低減でき、断熱の効果が高い。
【００１８】
また、請求項３に記載の屋根下地用断熱パネルによれば、請求項１又は２に記載の発明の作用効果に加え、垂木の側面を下方から上方に向けて狭めた上向き傾斜面とするとともに、垂木に嵌め込まれる断熱材の側面を上方から下方に向けて狭めた下向き傾斜面とし、垂木の上向き傾斜面に断熱材の下向き傾斜面を相対向させるように、断熱材を複数の垂木間に落とし込んで嵌め込むので、垂木の上向き傾斜面と断熱材の下向き傾斜面とが面接触し、止め金具等を用いなくても断熱材が複数の垂木間から落下しない。
すなわち、単に断熱材を垂木間に落とし込むだけでよいので、止め金具等を用いない分、工数及びコストを抑えることができる。
【００１９】
また、請求項４に記載の屋根下地用断熱パネルによれば、請求項１乃至３に記載の発明の作用効果に加え、断熱材の下面に、垂木の延びる方向に平行なスリットを設けたので、加工の誤差により断熱材が所定の大きさよりも大きくなってしまった場合や、垂木が変形してしまった場合でも、断熱材を垂木間に嵌め込んだ際にその加工誤差等をスリットが吸収することができる。よって、断熱材の加工誤差や垂木の変形があってもそれらを廃棄せずに済むので、コストを抑えることができる。
【００２０】
また、請求項５に記載の屋根下地用断熱パネルによれば、請求項１乃至４に記載の発明の作用効果に加え、垂木と断熱材との境目を覆うように、垂木の側面から断熱材の上面にかけて気密テープを貼着したので、垂木と断熱材との境目から熱が漏れ難く、さらに断熱効果が高い。
【００２１】
また、請求項６に記載の屋根下地用断熱パネルの施工方法によれば、予め一体化されてなるユニット製品を、施工現場において、横架材に直交するように、少なくとも２つの横架材上に架け渡して取付けるので、断熱処理が施された屋根の下地を短時間で施工することができ、屋根に断熱処理を行う場合であっても工数増加を抑えることができる。
【００２２】
なお、本発明の屋根下地用断熱パネル及び屋根下地用断熱パネルの施工方法のように、垂木と断熱材と野地板が予め一体化されてなるユニット製品とした点は、上述した特許文献１には全く記載されていない。
【図面の簡単な説明】
【００２３】
【図１】本発明の実施形態に係る屋根下地用断熱パネルを示す平面図である。
【図２】図１に示す屋根下地用断熱パネルのＡ−Ａ線拡大断面図である。
【図３】図１に示す屋根下地用断熱パネルの施工方法を示す斜視図である。
【図４】本発明の他の屋根下地用断熱パネルの、図１におけるＡ−Ａ線拡大断面図である。
【図５】屋根の下地を示す斜視図である。
【図６】屋根の下地内の排気の状態を示す拡大側面図である。
【発明を実施するための形態】
【００２４】
図１乃至図３を参照して、本発明の実施形態に係る屋根下地用断熱パネル１０を説明する。
この屋根下地用断熱パネル１０は、棟木１０１、母屋１０２、軒桁１０３等の複数の横架材１００に支持される住宅用の屋根下地材であって、工場において予め一体化されてなるユニット製品である。そして、垂木１１と、断熱材１２と、枠材１５と、野地板１３と、を備える。
なお、従来例で示したものと同一部分には同一符号を付した。
【００２５】
垂木１１は、図１に示すように、左右方向に互いに所定間隔を開けて、水平で同じ高さに複数（ここでは５つ）並設され、前後方向に延びている。前後方向の長さは、図３に示す棟木１０１と軒桁１０３間の長さよりも長い。
また、図２に示すように、断面の左右方向の幅を下方から上方に向けて狭めて、垂木１１の側面を上向き傾斜面１１ａとした。
ただし、屋根下地用断熱パネル１０としたときに左端に位置する垂木１１の左側面、及び屋根下地用断熱パネル１０としたときに右端に位置する垂木１１の右側面は、鉛直になっている。これは、屋根下地用断熱パネル１０を施工したときに、左右に隣接する屋根下地用断熱パネル１０間に隙間が生じないようにするためである。
【００２６】
断熱材１２は、板状の、例えば硬質ウレタンであって、高さ（厚さ）は垂木１１の高さの７割程度である。
断熱材１２の前後方向の長さは、垂木１１の前後方向の長さと略等しいが、例えば垂木１１の長さの１／４のものを４つ前後に並べて用いてもよい。
また、図２に示すように、断面の左右方向の幅を上方から下方に向けて狭めて、断熱材１２の側面を下向き傾斜面１２ａとした。
断熱材１２の下面には、垂木１１の延びる前後方向に略平行なスリット１２ｂを設けた。このスリット１２ｂは断熱材１２の長さ分、前後方向に延びている。また、スリット１２ｂの深さは断熱材１２の高さの略半分である。
【００２７】
そして、複数の垂木１１のうち隣接する垂木１１間の上部に空隙Ｓを形成するように、断熱材１２は隣接する垂木１１間の下部に垂木１１と密着した状態で落とし込んで嵌め込まれている。
このとき、垂木１１の上向き傾斜面１１ａに断熱材１２の下向き傾斜面１２ａが相対向する。また、垂木１１の下面と断熱材１２の下面は面一となっている。
ここで、断熱材１２の左右の幅を隣接する垂木１１間の距離よりやや広くしておき、垂木１１間に断熱材１２を嵌め込む際に圧入するようにしてもよいし、断熱材１２の左右の幅を隣接する垂木１１間の距離と等しくしておき、断熱材１２の自重で垂木１１の下面と断熱材１２の下面とが面一になるようにしてもよい。
また、断熱材１２の上面には遮熱塗料（図示しない）が塗布されている。
さらに、垂木１１と断熱材１２との境目を覆うように、垂木１１の側面から断熱材１２の上面にかけて気密テープ１４が貼着されている。
【００２８】
枠材１５は、隣接する垂木１１間の前端及び後端に、左右に延びるように設けられている。枠材１５の高さは断熱材１２の高さと略等しく、枠材１５の下面と断熱材１２の下面とは面一である。
すなわち、断熱材１２は垂木１１と枠材１５によって四方を囲われている。
また、枠材１５と断熱材１２との境目を覆うように、枠材１５の上面から断熱材１２の上面にかけても気密テープ１４を貼着した。
【００２９】
野地板１３は、５つの垂木１１に上載された一枚物の板である。
野地板１３の左右の幅は、左端の垂木１１の左側面と右端の垂木１１の右側面との距離に略等しいが、図２の二点鎖線で示すように、左端の垂木１１の左半分に対して、その左側に隣接する屋根下地用断熱パネル１０における野地板１３の右端を乗せ架けることができるように、野地板１３を垂木１１や断熱材１２に対して、垂木１１の幅の半分だけ右側にずれた状態で上載し、釘等で垂木１１に固定している。
【００３０】
このように工場において一体化された屋根下地用断熱パネル１０は、施工現場において、棟木１０１、母屋１０２、軒桁１０３等の横架材１００上に一体化された状態のまま取付け可能になっている。
すなわち、ユニット製品である屋根下地用断熱パネル１０が工場から施工現場まで運搬されると、図３に示すように、施工現場において、屋根下地用断熱パネル１０が棟木１０１、母屋１０２、及び軒桁１０３に直交するように、棟木１０１から軒桁１０３まで架け渡して取付けられる。
本実施形態においては、棟木１０１から軒桁１０３まで架け渡すことができる長さの屋根下地用断熱パネル１０を用いたが、棟木１０１と母屋１０２間、隣接する母屋１０２間、母屋１０２と軒桁１０３間等、少なくとも２つの横架材１００上に架け渡せればよい。
【００３１】
以上のように構成及び施工される屋根下地用断熱パネル１０によれば、垂木１１と、隣接する垂木１１間に嵌め込まれた断熱材１２と、複数の垂木１１に上載された野地板１３が、工場において予め一体化されてなるユニット製品であり、施工現場において、横架材１００上に一体化された状態のまま取付け可能にしたので、屋根に断熱処理を行う場合であっても施工現場での工数を抑えることができる。
これは、工数の多く掛かる場所が工場であるか施工現場であるかが変わっただけではなく、工場及び施工現場の全体の工数を抑えることができるということである。つまり、工場のほうが施工現場よりも足場がよく、また専用の加工処理装置を使用できるので、施工現場で屋根の下地を施工するよりも工場で屋根下地用断熱パネル１０を製造するほうが短時間で済み、工数増加を抑えることができる。このように工数を抑えることにより、コストも抑えることができる。
さらには、足場がよく、また専用の加工処理装置を使用すると正確に作業可能であるので、垂木１１に対する断熱材１２の位置決め等の、屋根下地用断熱パネル１０の製造の精度も向上する。
また、断熱材１２は垂木１１と密着した状態で隣接する垂木１１間に嵌め込まれるので、垂木１１が断熱材１２から押圧された状態となり、屋根の鉛直荷重時に垂木１１が面外座屈してしまうことを防止できる。よって、面外座屈防止のために断面積の大きい垂木１１を用いずに済むので、コストが低廉となる。
【００３２】
また、断熱材１２の上面に遮熱塗料を塗布したので、野地板１３からの輻射熱の影響を低減でき、断熱の効果が高い。
また、垂木１１の側面を下方から上方に向けて狭めた上向き傾斜面１１ａとするとともに、垂木１１に嵌め込まれる断熱材１２の側面を上方から下方に向けて狭めた下向き傾斜面１２ａとし、垂木１１の上向き傾斜面１１ａに断熱材１２の下向き傾斜面１２ａを相対向させるように、断熱材１２を複数の垂木１１間に落とし込んで嵌め込むので、垂木１１の上向き傾斜面１１ａと断熱材１２の下向き傾斜面１２ａとが面接触し、止め金具等を用いなくても断熱材１２が複数の垂木１１間から落下しない。
すなわち、単に断熱材１２を垂木１１間に落とし込むだけでよいので、止め金具等を用いない分、工数及びコストを抑えることができる。
【００３３】
さらに、断熱材１２の下面に、垂木１１の延びる方向に平行なスリット１２ｂを設けたので、加工の誤差により断熱材１２が所定の大きさよりも大きくなってしまった場合や、垂木１１が変形してしまった場合でも、断熱材１２を垂木１１間に嵌め込んだ際にその加工誤差等をスリット１２ｂが吸収することができる。よって、断熱材１２の加工誤差や垂木１１の変形があってもそれらを廃棄せずに済むので、コストを抑えることができる。
【００３４】
また、垂木１１と断熱材１２との境目を覆うように、垂木１１の側面から断熱材１２の上面にかけて気密テープ１４を貼着したので、垂木１１と断熱材１２との境目から居室側に熱が漏れ難く、さらに断熱効果が高い。
【００３５】
もちろん、断熱材１２、野地板１３、及び隣接する垂木１１で囲まれた空隙Ｓが形成されているので、図６に示すように、加熱されて密度が小さくなった空隙Ｓ内の空気が、棟木１０１の上方に設けられた排気口２００から排気され、断熱の効果が高い。
【００３６】
なお、本実施形態において、垂木１１の側面を下方から上方に向けて狭めた上向き傾斜面１１ａとするとともに、断熱材１２の側面を上方から下方に向けて狭めた下向き傾斜面１２ａとしたが、これに限られるものではなく、図４に示すように、垂木１１及び断熱材１２の側面を鉛直にしてもよい。
【００３７】
また、断熱材１２の上面に遮熱塗料を塗布したとしたが、塗布しなくてもよい。
さらに、断熱材１２の下面に、垂木１１の延びる方向に略平行なスリット１２ｂを設けたが、これに限られるものではなく、スリット１２ｂを設けなくてもよい。
【００３８】
また、垂木１１と断熱材１２との境目を覆うように、垂木１１の側面から断熱材１２の上面にかけて気密テープ１４を貼着したが、これに限られるものではなく、気密テープ１４を貼着しなくてもよい。
【符号の説明】
【００３９】
１０      屋根下地用断熱パネル（ユニット製品）
１１      垂木
１１ａ    上向き傾斜面
１２      断熱材
１２ａ    下向き傾斜面
１２ｂ    スリット
１３      野地板
１４      気密テープ
１５      枠材
１００      横架材
１０１      棟木
１０２      母屋
１０３      軒桁
２００      排気口
Ｓ      空隙
【図１】
2012241416.tif 000003
【図２】
2012241416.tif 000004
【図３】
2012241416.tif 000005
【図４】
2012241416.tif 000006
【図５】
2012241416.tif 000007
【図６】
2012241416.tif 000008